(57)【要約】【課題】鏡やキャビネットを外さずに水栓交換作業を行うことができる、メンテナンス性に優れた壁付水栓及びその取り付け方法を提供する。【解決手段】壁付水栓１１は、洗面化粧台の背面側に位置する室内壁面Ｗとの間に隙間を設けて配置される立壁部１４に取り付けられ、給水源に接続されるホース１７を通して送給される水を吐出する吐水口１６ａを有する吐水部１６と、吐水部１６を着脱可能に保持するため、立壁部１４に形成された開口部にその正面側から装着される保持部１８と、立壁部１４の背面側に配置される断面コ字状のホースガイド１５と、ホースガイド１５に嵌め込まれた状態で立壁部１４の背面側から保持部１８に螺着される固定ナット部２０と、固定ナット部２０を当接させてその回転を規制するため立壁部１４の背面側に設けられた回転規制部（天面部１４ａ）と、を備えている。【選択図】図４
2010106650.tif 000002
【特許請求の範囲】
【請求項１】
背面側に位置する室内壁面との間に隙間を設けて配置される立壁部に取り付けられる壁付水栓であって、
給水源に接続されるホースと、
前記ホースに接続され、前記ホースを通して送給される水を吐出する吐水口を有する吐水部と、
前記吐水部を着脱可能に保持するため、前記立壁部に形成された開口部にその正面側から装着される保持部と、
前記立壁部の背面側と対向する第一面と、前記室内壁面と対向する第二面と、前記第一面と前記第二面とを連結する側面と、を有するホースガイドと、
前記ホースガイドに嵌め込まれ若しくは前記ホースガイドと一体化された状態で前記立壁部の背面側で前記保持部に螺着される固定ナット部と、
前記固定ナット部または前記ホースガイドを当接させてその回転を規制するための前記立壁部の背面側に設けられた回転規制部と、を備え、
前記立壁部の正面側から前記開口部に装着した前記保持部を前記固定ナット部に螺着するときの前記固定ナット部の供回りを前記回転規制部によって規制可能であることを特徴とする壁付水栓。
【請求項２】
前記回転規制部は、前記立壁部の上部から前記室内壁面に向かって延設された天面部であることを特徴とする請求項１に記載の壁付水栓。
【請求項３】
前記第一面と前記第二面との間に位置する前記ホースの外周に、前記第一面と前記第二面との距離より長い筒状のパイプストッパを取り付けたことを特徴とする請求項２に記載の壁付水栓。
【請求項４】
背面側に位置する室内壁面との間に隙間を設けて配置される立壁部に壁付水栓を取り付ける方法であって、
前記立壁部の背面側と対向する第一面と前記室内壁面と対向する第二面と、前記第一面と前記第二面とを連結する側面とを有するホースガイドに対し、前記立壁部に形成された開口部の背面側に配置される固定ナット部を嵌め込む工程と、
前記固定ナット部の回転を規制するため前記立壁部の背面側に設けられた回転規制部に前記固定ナット部を当接させ且つ前記固定ナット部を前記開口部の略同軸上に位置させた状態にして前記ホースガイドを前記立壁部の背面側に配置する工程と、
給水源に接続されるホースに接続され、前記ホースを通して送給される水を吐出する吐水口を有する吐水部を着脱可能に保持するための保持部を、前記立壁部の正面側から前記開口部に装着する工程と、
前記回転規制部で回転規制されている前記固定ナット部に対し前記保持部を螺着させることにより前記保持部及び前記固定ナット部を前記開口部に固定する工程と、
前記吐水部に接続された前記ホースを、前記立壁部の正面側から前記保持部及び前記固定ナット部に挿入し、前記吐水部を前記保持部に着脱可能に保持する工程と、
を備えたことを特徴とする壁付水栓の取り付け方法。
【請求項５】
背面側に位置する室内壁面との間に隙間を設けて配置される立壁部に壁付水栓を取り付ける方法であって、
前記立壁部の背面側と対向する第一面と前記室内壁面と対向する第二面と、前記第一面と前記第二面とを連結する側面とを有するホースガイドに対し、前記立壁部に形成された開口部の背面側に配置される固定ナット部を嵌め込み、前記ホースガイドを前記立壁部と前記室内壁面との間に位置させる工程と、
水を吐出する吐水口を有する吐水部が接続され、前記吐水部を着脱可能に保持する保持部に挿通されたホースを、前記立壁部の正面側から前記開口部及び前記固定ナット部に挿通する工程と、
前記開口部及び前記固定ナット部に挿通された状態で前記立壁部と前記室内壁面との間に位置する前記ホースの外周にストッパを取り付ける工程と、
前記ホースを前記立壁部の正面側から引き出すことにより前記ストッパに伴って持ち上げられる前記固定ナット部を前記開口部に嵌め込み、前記固定ナット部の回転を規制するため前記立壁部の背面側に設けられた回転規制部で前記固定ナット部の回転を規制し、前記保持部を前記固定ナット部に対して固定する工程と、
を備えたことを特徴とする壁付水栓の取り付け方法。
【発明の詳細な説明】
【技術分野】
【０００１】
本発明は、洗面化粧台などを構成する洗面器の立壁部に取り付けられる壁付水栓に関する。
【背景技術】
【０００２】
従来の台付き水栓は、吐水位置が比較的低いので、使用者は腰を曲げた状態での洗面行為となることが多かった。また、設置形態上、水栓の設置面廻りに水が溜まり易いので、それが原因で水垢やカビが生えやすい環境となっていた。そこで、近年、洗面行為の容易さ及び清潔志向の高まりから洗面化粧台の水栓の設置形態は台付きから壁付きにシフトしてきている。
【０００３】
また、最近は、洗髪や洗面器の掃除の際の利便性に優れた引き出し式のハンドシャワー水栓が多くなってきている。さらに、洗面化粧台としても、収納ができる三面鏡や引き出し式のキャビネットなど水栓以外の部分においても多機能化が進んでいる。
【０００４】
一方、本願発明に関連する従来技術として、例えば、特許文献１記載の「水吐出部の取付構造」がある。この「水吐出部の取付構造」においては、洗面化粧台の裏側におけるホースの軌道を規制するアーム部が当該洗面化粧台の裏側に設けられ、このアーム部は、洗面化粧台の裏側からネジ固定することによって取り付けられている。
【先行技術文献】
【特許文献】
【０００５】
【特許文献１】特開２００４−３２７５号公報
【発明の概要】
【発明が解決しようとする課題】
【０００６】
従来の台付き水栓の設置形態であれば、水栓のメンテナンス（水栓交換）はキャビネットの下に潜り込んで水栓だけを容易に交換ができていた。ところが、壁付き水栓の設置形態においては、特許文献１に記載されているように、洗面器のバック面の裏側でホースの起動を規制するアーム部がネジ固定されているため、わざわざ鏡やキャビネットを取り外してから、水栓のメンテナンス（水栓交換）を行わなければならなかった。
【０００７】
本発明が解決しようとする課題は、水栓交換時、鏡やキャビネットを外さずに水栓交換作業を行うことができる、メンテナンス性に優れた壁付水栓及びその取り付け方法を提供することにある。
【課題を解決するための手段】
【０００８】
本発明の壁付水栓は、背面側に位置する室内壁面との間に隙間を設けて配置される立壁部に取り付けられる壁付水栓であって、
給水源に接続されるホースと、
前記ホースに接続され、前記ホースを通して送給される水を吐出する吐水口と、を有する吐水部と、
前記吐水部を着脱可能に保持するため、前記立壁部に形成された開口部にその正面側から装着される保持部と、
前記立壁部の背面側と対向する第一面と、前記室内壁面と対向する第二面と、前記第一面と前記第二面とを連結する側面と、を有するホースガイドと、
前記ホースガイドに嵌め込まれ若しくは前記ホースガイドと一体化された状態で前記立壁部の背面側で前記保持部に螺着される固定ナット部と、
前記固定ナット部または前記ホースガイドを当接させてその回転を規制するための前記立壁部の背面側に設けられた回転規制部と、を備え、
前記立壁部の正面側から前記開口部に装着した前記保持部を前記固定ナット部に螺着するときの前記固定ナット部の供回りを前記回転規制部によって規制可能であることを特徴とする。
【０００９】
このような構成とすれば、立壁部の開口部に装着した保持部をその正面側から固定ナット部に螺着するときに、立壁部の背面側にある固定ナット部が供回りするのを阻止できるため、保持部を容易に固定することが可能となる。このため、立壁部の正面側から、水栓交換などを行うことができ、水栓交換時などの作業性が良好であり、メンテナンス性に優れている。
【００１０】
この場合、前記回転規制部は、前記立壁部の上部から前記室内壁面に向かって延設された天面部であることが望ましい。このような構成とすれば、固定ナット部を天面部に当接させることよってその回転を規制することができるため、立壁部の正面側から開口部に装着した保持部を容易に固定ナット部に螺着、固定することができるようになり、より簡単に立壁部の正面側から水栓交換をすることができ、メンテナンス性が向上する。
【００１１】
一方、前記第一面と前記第二面との間に位置する前記ホースの外周に、前記第一面と前記第二面との距離より長く、かつ外径は保持部と当接する程の大きさを有した筒状のパイプストッパを取り付けることが望ましい。このような構成とすれば、吐水部が保持部に装着されている状態から離脱され、立壁部の正面側へ引き出されたとき、ホースガイド内に位置する残余のホースはパイプストッパで直線状に垂下した状態で保持され、ホースの一部が第二面に湾曲状態で接触することがなくなるため、ホース収納時にホースガイド内で湾曲したホースの一部が第二面に接触して収納方向の移動を妨げるような事態が発生しない。
【００１２】
次に、本発明の壁付水栓の取り付け方法は、背面側に位置する室内壁面との間に隙間を設けて配置される立壁部に壁付水栓を取り付ける方法であって、
前記立壁部の背面側と対向する第一面と前記室内壁面と対向する第二面と、前記第一面と前記第二面とを連結する側面とを有するホースガイドに対し、前記立壁部に形成された開口部の背面側に配置される固定ナット部を嵌め込む工程と、
前記固定ナット部の回転を規制するため前記立壁部の背面側に設けられた回転規制部に前記固定ナット部を当接させ且つ前記固定ナット部を前記開口部の略同軸上に位置させた状態にして前記ホースガイドを前記立壁部の背面側に配置する工程と、
給水源に接続されるホースに接続され、前記ホースを通して送給される水を吐出する吐水口を有する吐水部を着脱可能に保持するための保持部を、前記立壁部の正面側から前記開口部に装着する工程と、
前記回転規制部で回転規制されている前記固定ナット部に対し前記保持部を螺着させることにより前記保持部及び前記固定ナット部を前記開口部に固定する工程と、
前記吐水部に接続された前記ホースを、前記立壁部の正面側から前記保持部及び前記固定ナット部に挿入し、前記吐水部を前記保持部に着脱可能に保持する工程と、
を備えたことを特徴とする。
【００１３】
このような構成とすれば、立壁部の開口部に装着した保持部をその正面側から固定ナット部に螺着するとき、立壁部の背面側にある固定ナット部の供回りを回避することができるため、保持部を容易に固定することが可能となる。このため、立壁部の正面側から、水栓交換などを行うことができ、水栓交換時などの作業性が良好であり、メンテナンス性に優れている。
【００１４】
さらに、本発明の壁付水栓の取付方法は、背面側に位置する室内壁面との間に隙間を設けて配置される立壁部に壁付水栓を取り付ける方法であって、
前記立壁部の背面側と対向する第一面と前記室内壁面と対向する第二面と、前記第一面と前記第二面とを連結する側面とを有するホースガイドに対し、前記立壁部に形成された開口部の背面側に配置される固定ナット部を嵌め込み、前記ホースガイドを前記立壁部と前記室内壁面との間に位置させる工程と、
水を吐出する吐水口を有する吐水部が接続され、前記吐水部を着脱可能に保持する保持部に挿通されたホースを、前記立壁部の正面側から前記開口部及び前記固定ナット部に挿通する工程と、
前記開口部及び前記固定ナット部に挿通された状態で前記立壁部と前記室内壁面との間に位置する前記ホースの外周にストッパを取り付ける工程と、
前記ホースを前記立壁部の正面側から引き出すことにより前記ストッパに伴って持ち上げられる前記固定ナット部を前記開口部に嵌め込み、前記固定ナット部の回転を規制するため前記立壁部の背面側に設けられた回転規制部で前記固定ナット部の回転を規制し、前記保持部を前記固定ナット部に対して固定する工程と、
を備えたことを特徴とする。
【００１５】
このような構成とすれば、立壁部の開口部に装着した保持部をその正面側から固定ナット部に螺着するとき、ホースを立壁部の正面側から引き出すことによってストッパに伴って持ち上げられる固定ナット部を回転規制部に当接させることで固定ナット部の回転が規制され、締め付け作業の際の保持部との供回りを回避することができるため、保持部を容易に固定することができる。このため、立壁部の正面側から容易に水栓交換などを行うことができ、作業性が良好であり、メンテナンス性に優れている。
【発明の効果】
【００１６】
本発明により、鏡やキャビネットを外さずに立壁部の正面側から、水栓交換作業を行うことができる、メンテナンス性に優れた壁付水栓及びその取り付け方法を提供することができる。
【図面の簡単な説明】
【００１７】
【図１】本発明の実施の形態である壁付水栓が装備された洗面化粧台の正面側斜視図である。
【図２】図１に示す洗面化粧台の背面側斜視図である。
【図３】図２に示す洗面化粧台の壁付水栓付近の一部省略拡大図である。
【図４】図１に示す洗面化粧台の一部省略分解斜視図である。
【図５】図４における矢線Ａ方向から見た一部省略断面図である。
【図６】図１に示す壁付水栓を構成するホースガイドに固定ナットをセットする状態を示す一部省略斜視図である。
【図７】図６に示すホースガイドに固定ナットをセットした状態を示す一部省略斜視図である。
【図８】図７に示すホースガイド及び固定ナットを立壁部の背面にセットする状態を示す斜視図である。
【図９】図３に示す壁付水栓付近の一部省略斜視図である。
【図１０】従来の壁付水栓付近の一部省略斜視図である。
【図１１】その他の実施形態である壁付水栓を装備した洗面化粧台を示す背面側斜視図である。
【図１２】その他の実施の形態であるホースガイド及び固定ナット部を示す一部省略斜視図である。
【図１３】図１２に示すホースガイド及び固定ナット部を別の角度から見た一部省略斜視図である。
【図１４】図１２に示す固定ナット部をホースガイドにセットした状態を示す一部省略斜視図である。
【図１５】本発明のその他の実施の形態である壁付水栓の取り付け方法の施工工程を示す一部省略断面図である。
【図１６】図１５に示す施工工程の後工程を示す一部省略断面図である。
【図１７】図１６に示す施工工程の後工程を示す一部省略断面図である。
【発明を実施するための形態】
【００１８】
以下、図面に基づいて本発明の実施の形態について説明する。図１は本発明の実施の形態である壁付水栓が装備された洗面化粧台の正面側斜視図、図２は図１に示す洗面化粧台の背面側斜視図、図３は図２に示す洗面化粧台の壁付水栓付近の一部省略拡大図、図４は図１に示す洗面化粧台の一部省略分解斜視図、図５は図４における矢線Ａ方向から見た一部省略断面図である。
【００１９】
図１〜図５に示すように、本実施形態の壁付水栓１１は、室内壁面Ｗの正面に設置された洗面化粧台１０の立壁部１４に取り付けられ、立壁部１４の下方部分は洗面器１３の背面部分を構成している。壁付水栓１１と隣り合う立壁部１４に設けられた開閉レバー１２を操作することにより、吐水部１６の吐水口１６ａからの吐水、止水が可能である。図３に示すように、壁付水栓１１の吐水部１６はホース１７と共に立壁部１４から引き出したり、戻したりすることができる。
【００２０】
図５に示すように、壁付水栓１１は、洗面化粧台１０の背面側に位置する室内壁面Ｗとの間に隙間を設けて配置される立壁部１４に取り付けられ、給水源（図示せず）に接続されるホース１７と、ホース１７に接続され、ホース１７を通して送給される水を吐出する吐水口１６ａを有する吐水部１６と、この吐水部１６を着脱可能に保持するための保持部１８と、立壁部１４の背面側に配置されたホースガイド１５と、固定ナット部２０を当接させてその回転を規制するため立壁部１４の背面側に設けられた回転規制部である天面部１４ａと、を備えている。
【００２１】
保持部１８は、立壁部１４に形成された開口部１４ｂ（図８参照）にその正面側から装着されている。ホースガイド１５は、立壁部１４の背面側と対向する第一面１５ｆと、室内壁面Ｗと対向する第二面１５ｂと、第一面１５ｆ及び第二面１５ｂと直交する側面１５ｃと、を有する断面コ字状の部材である。固定ナット部２０はホースガイド１５に嵌め込まれた状態で立壁部１４の背面側で保持部１８の雄ネジ部１８ｍに螺着され、保持部１８のフランジ１８ｆと立壁部１４との間にシール材１９が挟持されている。なお、ホースガイド１５の側面１５ｃは、第一面１５ｆ及び第二面１５ｂと直交する必要はなく、曲面でも構わない。
【００２２】
天面部１４ａは、立壁部１４の上部を室内壁面Ｗに向かって延設することによって形成されている。後述するように、天面部１４ａは、立壁部１４の正面側から開口部１４ｂに装着した保持部１８を固定ナット２０に螺着するときの当該固定ナット部２０の供回りを規制する回転規制部としての機能を有している。
【００２３】
図５に示すように、ホースガイド１５の第一面１５ｆと第二面１５ｂとの間に位置するホース１７の外周には略球体状のストッパ２２が取り付けられ、このストッパ２２より吐水部１６側の部分に、第一面１５ｆと第二面１５ｂとの距離より長い筒状のパイプストッパ２１が取り付けられている。また、図２，図４に示すように、ホースガイド１５の下端部を収容する状態で水受けトレイ２４が配置されている。
【００２４】
ここで、図４，図５及び図６〜図８に基づいて、壁付水栓１１の取り付け方法について説明する。図６は図１に示す壁付水栓を構成するホースガイドに固定ナットをセットする状態を示す一部省略斜視図、図７は図６に示すホースガイドに固定ナットをセットした状態を示す一部省略斜視図、図８は図７に示すホースガイド及び固定ナットを立壁部の背面にセットする状態を示す斜視図である。
【００２５】
図６に示すように、断面コ字状のホースガイド１５の第一面１５ｆの上縁部に略円湾状のナット収容部１５ａが形成され、略正方形板状をした固定ナット部２０の略中央に雌ネジ孔２０ｆが形成され、固定ナット部２０の外周に沿って、ナット収容部１５ａに嵌入可能な周溝２０ａが形成されている。従って、図６に示すように、固定ナット部２０をナット収容部１５ａに嵌め込めば、図７に示すように、固定ナット部２０の周溝２０ａがナット収容部１５ａを挟持した状態で係止される。
【００２６】
次に、図８に示すように、立壁部１４の正面側に位置する作業者（図示せず）が、図７に示すホースガイド１５の下方を手Ｈで掴んで、立壁部１４の背面側に設けられた天面部１４ａ（図５参照）に固定ナット部２０の上周面を当接させ且つ固定ナット部２０を開口部１４ｂの略同軸上に位置させた状態にしてホースガイド１５を立壁部１４の背面側に配置する。
【００２７】
この後、図４，図５に示す保持部１８の雄ネジ部１８ｍを立壁部１４の正面側から開口部１４ｂに挿入するとともに、天面部１４ａに当接して回転規制されている固定ナット部２０の雌ネジ孔２０ｆに対し、保持部１８の雄ネジ部１８ｍを螺着させることにより、保持部１８及び固定ナット部２０を開口部１４ｂに固定する。そして、吐水部１６に接続されたホース１７を立壁部１４の正面側から保持部１８及び固定ナット部２０に挿入して給水源に接続すれば、吐水部１６は保持部１８に着脱可能に保持された状態となり、壁付水栓１１の取り付けが完了する。
【００２８】
このように、ホースガイド１５のナット収容部１５ａに嵌め込まれた固定ナット部２０を天面部１４ａに当接させるだけで固定ナット部２０の回転が規制されるので、立壁部１４の開口部１４ｂに装着した保持部１８を正面側から固定ナット部２０に螺着するとき、立壁部１４の背面側にある固定ナット部２０が供回りするのを阻止できる。このため、立壁部１４の正面側から保持部１４を容易に固定することができ、水栓交換時などの作業性が良好であり、メンテナンス性に優れている。
【００２９】
次に、図５及び図９，図１０に基づいてパイプストッパ２１，ストッパ２２の機能について説明する。図９は図３に示す壁付水栓付近の一部省略斜視図、図１０は従来の壁付水栓付近の一部省略斜視図である。
【００３０】
図５に示したように、ホースガイド１５の第一面１５ｆと第二面１５ｂとの間に位置するホース１７の外周には、ストッパ２２と、第一面１５ｆと第二面１５ｂとの距離１５ｄより長い筒状のパイプストッパ２１とが取り付けられている。従って、図９に示すように、吐水部１６が保持部に装着されている状態から離脱され、立壁部１４の正面側へ引き出されたとき、ホースガイド１５内に位置する残余のホース１７はストッパ２１によって直線状に垂下した状態で保持される。このため、図１０に示すように、ストッパ２２下方のホース１７の一部１７ａがホースガイド１５の第二面１５ｂ内面に湾曲状態で接触することがなくなる結果、ホース１７収納時にホースガイド１５内で湾曲したホース１７の一部が第二面１５ｂに接触して収納方向のホース移動を妨げるような事態が発生しない。
【００３１】
次に、図１１に基づいて、本発明のその他の実施の形態について説明する。図１１はその他の実施の形態である壁付水栓を装備した洗面化粧台を示す背面側斜視図である。
【００３２】
本実施形態においては、立壁部１４の背面側に配置される断面コ字状のホースガイド１５ｘの第一面１５ｆに固定ナット部２０が一体化され、ホースガイド１５ｘの側面１５ｃを当接させて、その回転を規制するためのリブ２５が立壁部１４の背面側に設けられている。ホースガイド１５ｘの側面１５ｃをリブ２５に当接させるだけで固定ナット部２０の回転が規制されるので、図５に示すように、保持部１８を立壁部１４の正面側から固定ナット部２０に螺着するとき、固定ナット部２０の供回りが生じない。このため、立壁部１４の正面側から保持部１４を容易に固定することができ、水栓交換時などの作業性も良好であり、メンテナンス性に優れている。
【００３３】
なお、保持部１８を立壁部１４の正面側から固定ナット部２０に螺着するときの固定ナット部２０の供回りを防止するその他の手段として、第一面１５ｆに固定ナット部２０が一体化されたホースガイド１５の一部（例えば、下端部付近）を水受けトレイ２４（図２参照）に当接させたり若しくは係合させたりすることによってホースガイド１５の回転を規制する機構を設けることもできる。
【００３４】
次に、図１２〜図１４に基づいて、ホースガイド及び固定ナット部に関するその他の実施の形態について説明する。図１２はその他の実施の形態であるホースガイド及び固定ナット部を示す一部省略斜視図、図１３は図１２に示すホースガイド及び固定ナット部を別の角度から見た一部省略斜視図、図１４は図１２に示す固定ナット部をホースガイドにセットした状態を示す一部省略斜視図である。
【００３５】
図１２，図１３に示すように、ホースガイド３５の第一面３５ｆにナット収容孔３５ａが開設され、ナット収容孔３５ａの周縁３５ｂに沿って複数の湾状切欠部３５ｃが一定間隔ごとに設けられている。固定ナット部３０は、内側に雌ネジ孔３０ｆを有する略円筒形状のナット本体３０ａと、ナット本体３０ａの片端部に形成された拡径形状のストッパ３０ｂと、ナット本体３０ａの他端部とストッパ３０ｂとの間に形成された多角形状のフランジ３０ｃと、を備えている。
【００３６】
ストッパ３０ｂとフランジ３０ｃとの隙間はホースガイド３５の第一面３５ｆの厚さと略同一に形成されている。ストッパ３０ｂ先端の外径はナット収容孔３５ａの内径より小さく、最もフランジ３０ｃ寄り部分の外径はナット収容孔３５ａの内径より大であり、ストッパ３０ｂの外周には先端部からフランジ３０ｃ側に向かって連続的に拡径した円錐面３０ｄが設けられている。
【００３７】
図１２，図１３に示すように、固定ナット部３０のストッパ３０ｂを、ホースガイド３５の第一面３５ｆのナット収容孔３５ａに向かって押し込むと、固定ナット部３０の円錐面３０ｄがナット収容孔３５ａの周縁３５ｂに当接して周縁３５ｂを押圧するが、複数の湾状切欠部３５ｃの存在により、周縁３５ｂが押圧方向に弾性変形して、ナット収容孔３５ａ全体が拡径するため、ストッパ３０ｂはナット収容孔３５ａを通過して反対側へ突出した状態となる。
【００３８】
これにより、図１４に示すように、ナット収容孔３５ａの周縁３５ｂはストッパ３０ｂとフランジ３０ｃとの間に挟持された状態となり、固定ナット部３０がホースガイド３５のナット収容孔３５ａに回転可能にセットされる。従って、図８に示す場合と同じ要領で、立壁部１４の正面側に位置する作業者（図示せず）が、図１４に示すホースガイド３５の下方を手で掴んで、立壁部１４の背面側に設けられた天面部１４ａ（図５参照）に固定ナット部３０のフランジ３０ｃの外周面を当接させれば、固定ナット部３０の回転が規制されるので、図５に示す場合と同様に、保持部１８を立壁部１４の正面側から固定ナット部３０に螺着するとき、固定ナット部３０の供回りが生じない。このため、立壁部１４の正面側から保持部１４を容易に固定することができ、水栓交換時などの作業性も良好であり、メンテナンス性に優れている。
【００３９】
次に、図１５〜図１７に基づいて、本発明のその他の実施の形態について説明する。図１５はその他の実施の形態である壁付水栓の取り付け方法の施工工程を示す一部省略断面図、図１６は図１５に示す施工工程の後工程を示す一部省略断面図、図１７は図１６に示す施工工程の後工程を示す一部省略断面図である。なお、図１５〜図１７において図１〜図９に示す符号と同じ符号を付している部分は前述した洗面化粧台１０及び壁付水栓１１の構成部分と同じ構造、機能を有する部分であり、説明を省略する。
【００４０】
本実施形態においては、まず、図１５に示すように、立壁部１４の背面側と対向する第一面１５ｆと室内壁面Ｗと対向する第二面１５ｂと、第一面１５ｆと第二面１５ｂとを連結する側面１５ｃとを有するホースガイド１５に対し、立壁部１４に形成された開口部１４ｂの背面側に配置される固定ナット部２０を嵌め込み、ホースガイド１５を立壁部１４と室内壁面Ｗとの間に位置させる。
【００４１】
次に、水を吐出する吐水口１６ａを有する吐水部１６が接続され、吐水部１６を着脱可能に保持する保持部１８に挿通されたホース１７を、立壁部１４の正面側から開口部１４ｂ及び固定ナット部２０に挿通する。そして、開口部１４ｂ及び固定ナット部２０に挿通された状態で立壁部１４と室内壁面Ｗとの間に位置するホース１７の外周にパイプストッパ２１及びストッパ２２を取り付ける。このとき、パイプストッパ２１はホース１７の長手方向にスライド自在に取り付けられ、ストッパ２２はホース１７の所定位置にスライド不能に固定されている。
【００４２】
この後、図１６に示すように、ホース１７を立壁部１４の正面側から引き出すと、ストッパ２２で下支えされたパイプストッパ２１を介し、ストッパ２２に伴って固定ナット部２０が持ち上げられるので、固定ナット部２０の正面部分を立壁部１４の背面側から開口部１４ｂに嵌め込むことができる。これにより、固定ナット部２０の一部が立壁部１４の背面側に延設された回転規制部（天面部１４ａ）に当接し、固定ナット部２０の回転が規制されるため、保持部１８の雄ネジ部１８ｍを固定ナット部２０の雌ネジ孔２０ｆ（図７参照）に螺着して締め付けると、図１７に示すように、保持部１８が固定ナット部２０に対し固定される。
【００４３】
このように、立壁部１４の開口部１４ｂに装着した保持部１８をその正面側から固定ナット部２０に螺着するとき、ホース１７を立壁部１４の正面側から引き出せば、パイプストッパ２１を介し、ストッパ２２に伴って持ち上げられる固定ナット部２０が回転規制部（天面部１４ａ）に当接して固定ナット部２０の回転が規制され、締め付け作業の際の保持部１８との供回りを回避することができるため、保持部１８を容易に固定することができる。従って、立壁部１４の正面側から容易に水栓交換などを行うことができ、作業性が良好であり、メンテナンス性に優れている。
【産業上の利用可能性】
【００４４】
本発明の壁付水栓及びその取り付け方法は、一般家庭、ホテルあるいは公共施設などに配置される洗面化粧台などにおいて広く利用することができる。
【符号の説明】
【００４５】
１０  洗面化粧台
１１  壁付水栓
１２  開閉レバー
１３  洗面器
１４  立壁部
１４ａ  天面部
１４ｂ  開口部
１５，１５ｘ，３５  ホースガイド
１５ａ  ナット収容部
１５ｆ，３５ｆ  第一面
１５ｂ  第二面
１５ｃ  側面
１５ｄ  距離
１６  吐水部
１６ａ  吐水口
１７  ホース
１７ａ  ホースの一部
１８  保持部
１８ｆ，３０ｃ  フランジ
１８ｍ  雄ネジ部
１９  シール材
２０，３０  固定ナット部
２０ａ  周溝
２０ｆ，３０ｆ  雌ネジ孔
２１  パイプストッパ
２２，３０ｂ  ストッパ
３０ａ  ナット本体
３５ａ  ナット収容孔
３５ｂ  周縁
３５ｃ  湾状切欠部
３５ｄ  円錐面
【図１】
2010106650.tif 000003
【図２】
2010106650.tif 000004
【図３】
2010106650.tif 000005
【図４】
2010106650.tif 000006
【図５】
2010106650.tif 000007
【図６】
2010106650.tif 000008
【図７】
2010106650.tif 000009
【図８】
2010106650.tif 000010
【図９】
2010106650.tif 000011
【図１０】
2010106650.tif 000012
【図１１】
2010106650.tif 000013
【図１２】
2010106650.tif 000014
【図１３】
2010106650.tif 000015
【図１４】
2010106650.tif 000016
【図１５】
2010106650.tif 000017
【図１６】
2010106650.tif 000018
【図１７】
2010106650.tif 000019